(57)【要約】【課題】電源がオフの状態であるときにも記憶媒体へのデータの格納や記憶媒体からのデータの読み出しを行うことが可能な電子機器を提供する。【解決手段】電子機器１は、記憶媒体２０と、電源がオンの状態である場合に記憶媒体２０に第１の電力を供給する電源回路３０と、記憶媒体２０に接続されたアンテナ６０と、を備え、記憶媒体２０は、設定情報及びログ情報を含むデータを格納するデータ格納部２０１と、データ格納部２０１へのデータの格納及びデータ格納部２０１に格納したデータの読み出しを制御するメモリ制御部２０２と、所定の周波数帯の電磁波をアンテナ６０で受信した場合に当該電磁波のエネルギーから第２の電力を生成する電力生成部２０３と、アンテナ６０で受信した信号を復調してメモリ制御部２０２に出力する復調部２０４と、データ格納部２０１から読み出したデータを変調してアンテナ６０に出力する変調部２０５と、を有する。【選択図】図１
2015172811.tif 000002
【特許請求の範囲】
【請求項１】
記憶媒体と、
電源がオンの状態である場合に前記記憶媒体に第１の電力を供給する電源回路と、
前記記憶媒体に接続されたアンテナと、を備え、
前記記憶媒体は、
設定情報及びログ情報を含むデータを格納するデータ格納部と、
前記データ格納部への前記データの格納及び前記データ格納部に格納した前記データの読み出しを制御するメモリ制御部と、
所定の周波数帯の電磁波を前記アンテナで受信した場合に当該電磁波のエネルギーから第２の電力を生成する電力生成部と、
前記アンテナで受信した信号を復調して前記メモリ制御部に出力する復調部と、
前記データ格納部から読み出した前記データを変調して前記アンテナに出力する変調部と、
を有することを特徴とする電子機器。
【請求項２】
前記メモリ制御部は、
前記データ格納部における前記設定情報及びログ情報の格納領域を特定する格納領域特定部と、
前記電源がオフの状態である場合に前記格納領域特定部で特定した格納領域への前記データの格納及び当該格納領域からの前記データの読み出しのみを許可する読み書き制限部と、
を有することを特徴とする請求項１に記載の電子機器。
【請求項３】
前記メモリ制御部は、
前記電源がオンの状態である場合に前記アンテナで受信した信号を破棄する信号破棄部
を有することを特徴とする請求項１に記載の電子機器。
【請求項４】
設定情報及びログ情報を含むデータを格納するデータ格納部、並びに前記データ格納部への前記データの格納及び前記データ格納部に格納した前記データの読み出しを制御するメモリ制御部を有する記憶媒体と、
電源がオンの状態である場合に前記記憶媒体に第１の電力を供給する電源回路と、
前記記憶媒体に接続されたアンテナと、を備えた電子機器の記憶媒体制御方法であって、
所定の周波数帯の電磁波を前記アンテナで受信し、前記記憶媒体において前記電磁波のエネルギーから第２の電力を生成した場合に、前記アンテナで受信した信号を復調する第１の処理と、
前記第１の処理で復調した信号に基づいて前記データ格納部への前記データの格納及び前記データ格納部に格納した前記データの読み出しを制御する第２の処理と、
前記データ格納部から読み出した前記データを変調して前記アンテナに出力する第３の処理と、
を有することを特徴とする電子機器の記憶媒体制御方法。
【請求項５】
前記第２の処理は、
前記データ格納部における特定の格納領域に前記設定情報及びログ情報を格納し、前記復調した信号に基づいて前記データ格納部へのデータの格納及び前記データ格納部に格納したデータの読み出しを行う際に、前記特定の格納領域への格納及び前記特定の格納領域からの読み出しのみを許可するよう制御する
ことを特徴とする請求項４に記載の電子機器の記憶媒体制御方法。
【請求項６】
前記第２の処理は、
前記電源がオンの状態である場合には前記アンテナで受信した信号を破棄し、前記受信した信号に基づく前記データ格納部へのデータの格納及び前記データ格納部に格納したデータの読み出しを行わないよう制御する
ことを特徴とする請求項４に記載の電子機器の記憶媒体制御方法。
【請求項７】
所定の周波数帯の電磁波をアンテナで受信し、記憶媒体において前記電磁波のエネルギーから電力を生成した場合に、前記アンテナで受信した信号を復調する第１の処理と、
前記第１の処理で復調した信号に基づいて前記記憶媒体が有するデータ格納部へのデータの格納及び前記データ格納部に格納したデータの読み出しを制御する第２の処理と、
前記データ格納部から読み出した前記データを変調して前記アンテナに出力する第３の処理と、
を前記記憶媒体に内蔵されたコンピュータに実行させる記憶媒体制御プログラム。
【発明の詳細な説明】
【技術分野】
【０００１】
本発明は、電子機器、電子機器の記憶媒体制御方法、及び記憶媒体制御プログラムに関する。
【背景技術】
【０００２】
通信端末等の電子機器が備える記憶媒体には、ファームウェア等のプログラムや、その電子機器の設定情報、ログ情報等のデータが格納される。
【０００３】
電子機器のプログラムは、利便性の向上等を目的とした改良がなされる。そして、プログラムを改良した際には、メモリカード等の外部記憶装置やインターネットを通じてバージョンアップ用プログラムが提供される。このバージョンアップ用プログラムを電子機器上で実行すると、記憶媒体に格納されたプログラムが書き換えられる（たとえば、特許文献１を参照。）。
【０００４】
また、電子機器の設定情報やログ情報は、電子機器の動作不良や故障の原因を解析するとき等に記憶媒体から読み出される。
【先行技術文献】
【特許文献】
【０００５】
【特許文献１】特開２００６−３４４１３５号公報
【発明の概要】
【発明が解決しようとする課題】
【０００６】
上記の電子機器において主制御部として機能するＣＰＵや記憶媒体として機能する半導体メモリは、バッテリから電源回路を介して供給される電力により動作する。この種の電子機器は、電源がオフの状態（すなわち電源回路から主制御部や記憶媒体に電力が供給されていない状態）であると、記憶媒体へのデータの格納や記憶媒体からのデータの読み出しを行うことができない。そのため、電子機器のプログラムをバージョンアップする際には、電子機器の電源をオンの状態にする必要がある。
【０００７】
しかしながら、電子機器には、店舗や倉庫の在庫のように梱包した状態で保管しているものもある。梱包された電子機器は、バッテリが外されており電源が入っていない。このため、梱包された電子機器のプログラムをバージョンアップする際には、開梱し、電源のオンにしてバージョンアップ用プログラムを実行した後、再び梱包しなければならない。したがって、店舗や倉庫等にある多数の梱包された電子機器に対してプログラムのバージョンアップを行う際には、多くの手間と時間がかかる。
【０００８】
更に、落下、衝撃、水没等による故障で電源をオンの状態にできなくなった場合には、設定情報やログ情報を読み出すことができない。そのため、故障の原因を解析することが非常に困難となる。
【０００９】
本発明は、上述の問題点に鑑みてなされたものであり、電源がオフの状態であるときにも記憶媒体へのデータの格納や記憶媒体からのデータの読み出しを行うことが可能な電子機器を提供することを目的とする。
【課題を解決するための手段】
【００１０】
本発明の第１の側面における電子機器は、記憶媒体と、電源がオンの状態である場合に前記記憶媒体に第１の電力を供給する電源回路と、前記記憶媒体に接続されたアンテナと、を備え、前記記憶媒体は、設定情報及びログ情報を含むデータを格納するデータ格納部と、前記データ格納部への前記データの格納及び前記データ格納部に格納した前記データの読み出しを制御するメモリ制御部と、所定の周波数帯の電磁波を前記アンテナで受信した場合に当該電磁波のエネルギーから第２の電力を生成する電力生成部と、前記アンテナで受信した信号を復調して前記メモリ制御部に出力する復調部と、前記データ格納部から読み出した前記データを変調して前記アンテナに出力する変調部と、を有することを特徴とする。
【００１１】
また、本発明の第２の側面における電子機器の記憶媒体制御方法は、設定情報及びログ情報を含むデータを格納するデータ格納部、並びに前記データ格納部への前記データの格納及び前記データ格納部に格納した前記データの読み出しを制御するメモリ制御部を有する記憶媒体と、電源がオンの状態である場合に前記記憶媒体に第１の電力を供給する電源回路と、前記記憶媒体に接続されたアンテナと、を備えた電子機器の記憶媒体制御方法であって、所定の周波数帯の電磁波を前記アンテナで受信し、前記記憶媒体において前記電磁波のエネルギーから第２の電力を生成した場合に、前記アンテナで受信した信号を復調する第１の処理と、前記第１の処理で復調した信号に基づいて前記データ格納部への前記データの格納及び前記データ格納部に格納した前記データの読み出しを制御する第２の処理と、前記データ格納部から読み出した前記データを変調して前記アンテナに出力する第３の処理と、を有することを特徴とする。
【００１２】
また、本発明の第３の側面における記憶媒体制御プログラムは、所定の周波数帯の電磁波をアンテナで受信し、記憶媒体において前記電磁波のエネルギーから電力を生成した場合に、前記アンテナで受信した信号を復調する第１の処理と、前記第１の処理で復調した信号に基づいて前記記憶媒体が有するデータ格納部へのデータの格納及び前記データ格納部に格納したデータの読み出しを制御する第２の処理と、前記データ格納部から読み出した前記データを変調して前記アンテナに出力する第３の処理と、を前記記憶媒体に内蔵されたコンピュータに実行させることを特徴とする。
【発明の効果】
【００１３】
本発明の電子機器によれば、電源がオフの状態であるときにも記憶媒体へのデータの格納や記憶媒体からのデータの読み出しを行うことが可能になる。
【図面の簡単な説明】
【００１４】
【図１】本発明の一実施形態である電子機器の機能構成を示すブロック図である。
【図２】データ格納部の格納領域の構成を示す図である。
【図３】記憶媒体の動作を説明するシーケンス図である。
【図４】電子機器内部のうちの主要部分の構成を示す斜視図である。
【図５】図４に示した第２のプリント回路板の平面図である。
【図６】図５のＡ−Ａ線断面図である。
【図７】梱包された電子機器の記憶媒体と外部端末との無線通信の様子を示す模式図である。
【発明を実施するための形態】
【００１５】
以下、本発明の実施形態について図面を参照しながら詳細に説明する。
【００１６】
図１は、本発明の一実施形態である電子機器の機能構成を示すブロック図である。図２は、データ格納部の格納領域の構成を示す図である。
【００１７】
本実施形態の電子機器１は、図１に示すように、主制御部１０、記憶媒体２０、電源回路３０、操作部４０、表示部４５、Ｉ／Ｏインタフェース５０、アンテナ６０、及びバッテリ７０を備える。
【００１８】
主制御部１０は、電子機器１の電源がオンの状態であるときに電子機器１全体の動作を制御する。記憶媒体２０は、電子機器１（主制御部１０）で実行するプログラムや、設定情報、ログ情報等のデータを格納する。電源回路３０は、バッテリ７０から入力される電力を主制御部１０や記憶媒体２０等の動作電圧に対応した第１の電力に変換して出力する。操作部４０は、電子機器１を操作するための入力を受け付ける。表示部４５は、記憶媒体２０から読み出したデータ、操作部４０を介して入力された情報等を表示する。Ｉ／Ｏインタフェース５０は、他の電子機器やメモリカード等との間でデータを送受信する。アンテナ６０は、外部端末２との近距離無線通信を行う際に電磁波の送受信を行う。このアンテナ６０は、記憶媒体２０に接続してある。
【００１９】
また、本実施形態の電子機器１では、主制御部１０及び電源回路３０を第１のプリント回路板８０に設け、記憶媒体２０及びアンテナ６０を第２のプリント回路板９０に設けてある。
【００２０】
記憶媒体２０は、データ格納部２０１、メモリ制御部２０２、電力生成部２０３、復調部２０４、及び変調部２０５を有する。
【００２１】
データ格納部２０１は、データを格納するメモリセルをアレイ状に配置したメモリセルアレイである。メモリ制御部２０２は、主制御部１０や外部端末２からのアクセス要求に基づいてデータ格納部２０１へのデータの格納及びデータ格納部２０１からのデータの読み出しを制御する。電力生成部２０３は、所定の周波数帯（たとえば、１３．５６ＭＨｚ）の電磁波をアンテナ６０で受信した場合に、受信した電磁波のエネルギーから第２の電力を生成する。復調部２０４は、アンテナ６０で受信した信号を復調してメモリ制御部２０２に出力する。変調部２０５は、データ格納部２０１から読み出したデータを変調してアンテナ６０に出力する。
【００２２】
記憶媒体２０の電力生成部２０３は電力を蓄積可能な電子部品又は電子回路で構成される。この電力生成部２０３で生成した第２の電力は、データ格納部２０１、メモリ制御部２０２、復調部２０４、及び変調部２０５のそれぞれに、動作電力として供給される。
【００２３】
このように、本実施形態の電子機器１における記憶媒体２０は、電源回路３０から供給される第１の電力により動作するだけでなく、アンテナ６０で受信した電磁波のエネルギーから生成した第２の電力によっても動作する。すなわち、電子機器１の電源がオフの状態であっても、所定の周波数帯の電磁波をアンテナ６０で受信することにより記憶媒体２０が動作する。また、記憶媒体２０には復調部２０４及び変調部２０５を設けてある。このため、電子機器１の電源がオフの状態であっても、記憶媒体２０と外部端末２との間で近距離無線通信を行うことができ、記憶媒体２０へのデータの格納及び記憶媒体２０からのデータの読み出しが可能となる。
【００２４】
なお、記憶媒体２０が第２の電力により動作する場合、メモリ制御部２０２は、データ格納部２０１の特定の格納領域に対するデータの格納及びデータの読み出しのみを許可する。
【００２５】
上記のように、記憶媒体２０のデータ格納部２０１には、電子機器１で実行するプログラムや、設定情報、ログ情報等のデータを格納される。このデータ格納部２０１は、図２に示すように、フラッシュＲＯＭ領域、フラッシュディスク領域、及びＲＡＭ領域の３つの領域で構成される。フラッシュＲＯＭ領域は、ファームウェアやＯＳ等のプログラムを格納する領域である。フラッシュディスク領域は、設定情報及びログ情報を含むデータ、アプリケーションプログラム等を格納する領域である。ＲＡＭ領域は、プログラム実行時に作成されるデータ等を一時的に格納する領域である。このＲＡＭ領域は、ＯＳ領域、ＲＡＭディスク領域、及びシステムストレージ領域の３つの領域で構成される。
【００２６】
電子機器１の電源がオンの状態であり、電源回路３０から供給される第１の電力により記憶媒体２０が動作している場合、メモリ制御部２０２は、データ格納部２０１のすべての領域に対するデータの格納及び読み出しを許可する。これにより、電子機器１の電源がオンの状態である場合には、記憶媒体２０に格納されたプログラムが主制御部１０で実行され、電子機器１全体が動作する。
【００２７】
一方、電子機器１の電源がオフの状態であり、電力生成部２０３から供給される第２の電力で動作している場合、メモリ制御部２０２は、フラッシュディスク領域に設けた制限領域２０１ａに対するデータの格納及びデータの読み出しのみを許可する。この制限領域２０１ａは、数百ｋＢｙｔｅ程度とし、電子機器１の設定情報やログ情報、ファームウェア等のバージョンアップ用プログラムのみを格納するようにしておく。このため、図示は省略するが、メモリ制御部２０２には、設定情報及びログ情報の格納領域を制限領域２０１ａに特定する格納領域特定部と、第１の電力及び第２の電力のどちらが供給されているかを識別する電力識別部と、第２の電力で動作している場合には制限領域２０１ａに対するデータの格納及びデータの読み出しのみを許可する読み書き制限部とを設けておく。これにより、電子機器１の電源がオフの状態であり、電力生成部２０３から供給される第２の電力で動作している場合は、データ格納部２０１の制限領域２０１ａへのバージョンアップ用プログラムの格納、及び制限領域２０１ａに格納された設定情報やログ情報の読み出しのみが可能となる。
【００２８】
また、メモリ制御部２０２には、第１の電力が供給されているときに第２の電力の入力を遮断する電力遮断部や、第１の電力が供給されているときに復調部２０４から入力される信号を破棄する信号破棄部等を設けておく。
【００２９】
本実施形態の電子機器１における記憶媒体２０は、電源がオンの状態であるときには、電源回路３０から供給される電力により動作する。このとき、データ格納部２０１へのデータの格納及びデータ格納部２０１からのデータの読み出しは、主制御部１０からのアクセス要求に基づいて制御される。この主制御部１０からのアクセス要求に基づくデータの格納及びデータの読み出しの制御は、周知の電子機器における制御と同じである。
【００３０】
一方、電源がオフの状態であるときに所定の周波数帯の電磁波をアンテナ６０で受信すると、記憶媒体２０は電力生成部２０３から供給される電力により動作する。このとき、データ格納部２０１へのデータの格納及びデータ格納部２０１からのデータの読み出しは、外部端末２からのアクセス要求に基づいて制御される。
【００３１】
図３は、記憶媒体の動作を説明するシーケンス図である。
【００３２】
外部端末２が発した電磁波を電子機器１のアンテナ６０で受信すると、電力生成部２０３は、第２の電力を生成して蓄える。そして、蓄えた第２の電力が所定の電力量を上回ると、電力生成部２０３からデータ格納部２０１やメモリ制御部２０２等に第２の電力が供給される。これにより、図３に示すように記憶媒体２０の電源がオンの状態になる（POWERがOFFからONになる）。
【００３３】
記憶媒体２０の電源がオンの状態になると、メモリ制御部２０２は、リセット信号RESET#をＬレベルからＨレベルに切り替えてバッファ等を初期化する。このとき、チップイネーブル信号CE#、リードイネーブル信号RD#及びライトイネーブル信号WR#は、いずれもＨレベルになる。
【００３４】
次に、メモリ制御部２０２は、自身のＩＤ情報等を変調部２０５に送る。変調部２０５に送られたＩＤ情報等は変調され、アンテナ６０を介して電子機器１の外部に送信される。
【００３５】
外部端末２は、電子機器１からのＩＤ情報等を受信し電子機器１が無線通信可能な状態であることを検知すると、電子機器１に対し記憶媒体２０へのアクセス要求を送信する。このアクセス要求は、データ格納部２０１のどの領域にアクセスするかを指定するアドレス信号、読み出し及び書き込みのどちらの要求であるかを識別するための制御信号等を含んでいる。また、アクセス要求が書き込み要求である場合には、続けて書き込むデータを送信する。
【００３６】
電子機器１では、アクセス要求をアンテナ６０で受信すると、受信したアクセス要求が復調部２０４で復調されメモリ制御部２０２に入力される。このとき、メモリ制御部２０２では、まず、アドレスバスを介して入力されたアドレス信号が制限領域２０１ａ内のアドレスに対するものあるか否かを読み書き制限部で判定する。そして、制限領域２０１ａ内のアドレスである場合にのみ、図３に示すようにデータ格納部２０１のうちのアクセスする領域（メモリセル）を確定し、チップイネーブル信号CE#をＨレベルからＬレベルに切り替える。これにより、データ格納部２０１からのデータの読み出しやデータ格納部２０１へのデータの書き込みが可能な状態になる。
【００３７】
一方、アドレス信号が制限領域２０１ａ内のアドレスに対するものではない場合には、チップイネーブル信号CE#をＬレベルに切り替えず、データの読み出し及び書き込みが行えない状態を維持する。
【００３８】
チップイネーブル信号CE#をＨレベルからＬレベルに切り替えた場合、メモリ制御部２０２は、アクセス要求の制御信号に基づいてリードイネーブル信号RD#又はライトイネーブル信号WR#をＨレベルからＬレベルに切り替える。
【００３９】
制御信号が読み出し制御についての信号である場合には、リードイネーブル信号RD#をＨレベルからＬレベルに切り替えてデータの読み出しが可能な状態にする。
【００４０】
リードイネーブル信号RD#をＬレベルに切り替えた場合は、データバスを介してデータ（メモリセルの値）を読み出してバッファに蓄積するとともに、リードイネーブル信号RD#がＬレベルからＨレベルに戻るのを待つ。リードイネーブル信号RD#がＨレベルに戻ると、メモリ制御部２０２はバッファに蓄積されたデータを変調部２０５に送る。変調部２０５に送られたデータは変調され、アンテナ６０を介して外部端末２に送信される。
【００４１】
一方、制御信号が書き込み制御についての信号である場合には、ライトイネーブル信号WR#をＨレベルからＬレベルに切り替えてデータの読み出しが可能な状態にする。
【００４２】
ライトイネーブル信号WR#をＬレベルに切り替えた場合は、外部端末２からのデータをバッファに蓄積した後、書き込みコマンドを投入しライトイネーブル信号WR#をＬレベルからＨレベルに戻す。ライトイネーブル信号WR#がＨレベルに戻ると、メモリ制御部２０２は、データバスを介して、バッファに蓄積したデータをデータ格納部２０１のメモリセルに書き込む（格納する）。
【００４３】
こうして記憶媒体２０のデータ格納部２０１へのデータの格納やデータ格納部２０１からのデータの読み出しを行った後、外部端末２からの電磁波をアンテナ６０が受信しなくなると、記憶媒体２０は電源がオフの状態になる。
【００４４】
このように、本実施形態の電子機器１は、電源がオフの状態であっても、外部端末２を用いた近距離無線通信により記憶媒体２０へのデータの格納や記憶媒体２０からのデータの読み出しを行うことができる。
【００４５】
図４は、電子機器内部のうちの主要部分の構成を示す斜視図である。図５は、図４に示した第２のプリント回路板の平面図である。図６は、図５のＡ−Ａ線断面図である。
【００４６】
本実施形態の電子機器１は、上記のように、主制御部１０及び電源回路３０を設けた第１のプリント回路板８０と、記憶媒体２０及びアンテナ６０を設けた第２のプリント回路板９０とを備える。
【００４７】
第１のプリント回路板８０は、図４に示すように、第１のプリント配線板８１、第１の半導体パッケージ８２ａ、第２の半導体パッケージ８２ｂ、電源コネクタ８３、スロット８４等で構成される。
【００４８】
第１の半導体パッケージ８２ａは、主制御部１０として機能するＣＰＵ等の演算処理装置である。第２の半導体パッケージ８２ｂは、電源回路３０として機能する電源モジュールである。
【００４９】
電源コネクタ８３には、バッテリ７０の電極７１ａ，７１ｂと接続されるケーブル（図示せず）の一端が取り付けられる。バッテリ７０の電極７１ａ，７１ｂはそれぞれ、ケーブル、電源コネクタ８３及び第１の給電配線８５ａ，８５ｂを介して第２の半導体パッケージ８２ｂの入力端子に接続される。
【００５０】
第２の半導体パッケージ８２ｂの出力端子は、第２の給電配線８６ａ，８６ｂを介して第１の半導体パッケージ８２ａの電源端子に接続される。また、第２の半導体パッケージ８２ｂの出力端子は、第３の給電配線８７ａ，８７ｂ、スロット８４に設けた端子８８（図６参照）等を介して第２のプリント回路板９０の半導体パッケージ９２の電源端子に接続される。
【００５１】
なお、図示はしていないが、第１のプリント配線板８１には、入力デバイス（操作部４０）との信号の送受信に用いるフレキシブルプリント配線板を接続するコネクタ、液晶ディスプレイ（表示部４５）との信号の送受信に用いるフレキシブルプリント配線板を接続するコネクタ等も設けてある。
【００５２】
第２のプリント回路板９０は、図４〜図６に示すように、第２のプリント配線板９１、第３の半導体パッケージ９２、及びアンテナ６０で構成される。
【００５３】
第３の半導体パッケージ９２は、記憶媒体２０として機能するＭＰＵ等の演算処理装置である。第３の半導体パッケージ９２の外部端子９２ａと、第２のプリント配線板９１の絶縁基板９３における実装面側に設けた第１の配線９４ａとは、はんだバンプ９５で接続してある。第１の配線９４ａは、絶縁基板９３に設けた貫通穴を介して、実装面とは反対側の面に設けた第２の配線９４ｂと接続している。第２の配線９４ｂは、第２のプリント配線板９１におけるスロット挿入部に引き回されており、第１のプリント回路板８０のスロット８４に設けた端子８８と電気的に接続される。
【００５４】
スロット８４に設けた端子８８のうち第２の配線９４ｂ等を介して第３の半導体パッケージ９２の信号入出力端子と接続される端子は、図４に示した第１のプリント配線板８１の信号配線８９と接続している。この信号配線８９は、第１の半導体パッケージ８２ａと第３の半導体パッケージ９２との間でデータの受け渡しを行うための配線であり、データバス及びアドレスバスを含んでいる。
【００５５】
一方、スロット８４に設けた端子８８のうち第２の配線９４ｂ等を介して第３の半導体パッケージ９２の電源端子と接続される端子は、第１のプリント配線板８１の第３の給電配線８７ａ，８７ｂと接続している。
【００５６】
アンテナ６０は、第２のプリント配線板９１における第３の半導体パッケージ９２の実装面に形成されたループ状の導体パターンである。このループ状の導体パターンは、所定の周波数帯（たとえば、１３．５６ＭＨｚ）の電磁波を受信できるように形成してある。また、アンテナ６０は第３の半導体パッケージ９２を囲むように形成してあり、その両端はそれぞれ第３の半導体パッケージ９２の異なる外部端子と接続してある。なお、アンテナ６０の外方側に位置する一端と第３の半導体パッケージ９２の外部端子とは、第３の半導体パッケージ９２に接続された第３の配線９４ｃ及び半導体パッケージ９２の実装面の裏面に設けた第４の配線９４ｄを用いて接続してある。第３の配線９４ｃと第４の配線９４ｄとは、絶縁基板９３に設けた貫通穴を介して接続している。同様に、第４の配線９４ｄとアンテナ６０とは、絶縁基板９３に設けた別の貫通穴を介して接続している。
【００５７】
本実施形態の電子機器１では、図４〜図６に示したように、主制御部１０として機能する第１の半導体パッケージ８２ａ等を備えた第１のプリント回路板８０と、アンテナ６０等を備えた第２のプリント回路板９０とを別個に設けている。また、第２のプリント回路板９０は、アンテナ６０を設けた面が、第１のプリント回路板８０における第１の半導体パッケージ８２ａ等の実装面に対して略垂直になるようにしてある。このため、第１のプリント配線板８１にグランドプレーン等の高周波ノイズ対策のためのべたパターンを設けてある場合でも、無線通信時にアンテナ６０で送受信する電磁波がグランドプレーンにより遮られることはない。更に、第２のプリント回路板９０にアンテナ６０を設けてあるため、電子機器１を組み立てる際のアンテナ６０の変形や断線を防止できる。
【００５８】
図７は、梱包された電子機器の記憶媒体と外部端末との無線通信の様子を示す模式図である。
【００５９】
本実施形態の電子機器１は、図７に示すように、紙製の箱３に梱包された状態で店舗や倉庫に保管される。このように箱３に梱包された電子機器１は、バッテリ７０が外されており、電源がオフの状態になっている。本実施形態の電子機器１は、上述のように電源がオフの状態であっても、外部端末２との近距離無線通信により記憶媒体２０にデータを格納することができる。このため、梱包された電子機器１のファームウェアをバージョンアップする場合には、箱３の近傍で外部端末２を動作させることにより、梱包された状態のまま記憶媒体２０（第３の半導体チップ９２）にバージョンアップ用プログラムを格納することができる。このように記憶媒体２０にバージョンアップ用プログラムを格納しておけば、開梱し電子機器１の電源をオンにしたときにバージョンアップ用プログラムが自動的に実行され、ファームウェアがバージョンアップされる。したがって、開梱してファームウェアをバージョンアップさせた後、再び梱包する必要がなくなる。これにより、店舗や倉庫等にある多数の梱包された電子機器１に対してファームウェアのバージョンアップを行う際の手間と時間が大幅に削減される。
【００６０】
更に、本実施形態の電子機器１は、落下、衝撃、水没等による故障で電源をオンの状態にできなくなった場合でも、外部端末２との近距離無線通信により記憶媒体２０から設定情報やログ情報を読み出すことができる。このため、故障の原因を解析できるようになる。
【００６１】
以上説明したように、本実施形態の電子機器１によれば、電源がオフの状態であるときにも記憶媒体２０へのデータの格納や記憶媒体２０からのデータの読み出しを行うことができる。このため、たとえば梱包した電子機器１のファームウェアをバージョンアップする作業の手間と時間とが大幅に削減できる。また、たとえば故障により電源をオンの状態にできなくなった電子機器１について故障の原因を解析できるようになる。
【００６２】
更に、電子機器１の電源がオフの状態であり電力生成部２０３から供給される第２の電力で記憶媒体２０が動作する場合、メモリ制御部２０２では、フラッシュディスク領域に設けた制限領域２０１ａに対するデータの格納及び読み出しのみを許可する。このため、制限領域２０１ａを設定情報やログ情報、及びバージョンアップ用プログラムの格納用に限定することで、電子機器１の電源がオフの状態であるときの、意図しない無線通信によるデータの漏洩や改ざんを防止できる。
【００６３】
しかも、本実施形態の電子機器１におけるメモリ制御部２０２には、第１の電力が供給されているときに第２の電力の入力を遮断する電力遮断部や、第１の電力が供給されているときに復調部２０４から入力される信号を破棄する信号破棄部を設けてある。このため、電子機器１の電源がオンの状態である場合には、記憶媒体２０と外部端末２との間での無線通信が行われない。これにより、電子機器１の電源がオンの状態であるときの、意図しない無線通信によるデータの漏洩や改ざんを防止できる。
【００６４】
なお、本実施形態の電子機器１が備える記憶媒体２０における上記の各機能及び動作は、記憶媒体２０として機能する第３の半導体パッケージ９２に内蔵されたコンピュータにプログラムを実行させることで実現する代わりに、ハードウェアを組み合わせて実現してもよい。
【００６５】
以上、本発明の実施形態について説明したが、本発明は、上記の実施形態に限定されるものではなく、本発明の要旨を逸脱しない範囲内で種々の構成又は実施形態を取ることができる。
【符号の説明】
【００６６】
１  電子機器
２  外部端末
３  箱
１０  主制御部
２０  記憶媒体
２０１  データ格納部
２０１ａ  制限領域
２０２  メモリ制御部
２０３  電力生成部
２０４  復調部
２０５  変調部
４０  操作部
４５  表示部
５０  Ｉ／Ｏインタフェース
６０  アンテナ
７０  バッテリ
８０  第１のプリント回路板
８１  第１のプリント配線板
８２ａ  第１の半導体パッケージ
８２ｂ  第２の半導体パッケージ
８３  電源コネクタ
８４  スロット
８５ａ，８５ｂ  第１の給電配線
８６ａ，８６ｂ  第２の給電配線
８７ａ，８７ｂ  第３の給電配線
８８  端子
８９  信号配線
９０  第２のプリント回路板
９１  第２のプリント配線板
９２  第３の半導体パッケージ
９３  絶縁基板
９４ａ  第１の配線
９４ｂ  第２の配線
９４ｃ  第３の配線
９４ｄ  第４の配線
【図１】
2015172811.tif 000003
【図２】
2015172811.tif 000004
【図３】
2015172811.tif 000005
【図４】
2015172811.tif 000006
【図５】
2015172811.tif 000007
【図６】
2015172811.tif 000008
【図７】
2015172811.tif 000009